(57)【要約】      （修正有）【課題】脱落することが無く、さらにファッション性に優れたピアスキャッチを提供する。【解決手段】皮膚接着性ゲル材料やシリコン材料といった接着性、粘着性及び弾力性に富む樹脂等の可とう性材料から成る、着色したり、形状を自由に選べ、抗菌作用を有する、全てのピアス本体に共通に、容易に使用することが可能なピアスキャッチ１であって、人体に貼付するための接着性を有し、挿通孔の無い状態で、ピアスピン２で突き破って使用する。【選択図】図１
2012005801.tif 000002
【特許請求の範囲】
【請求項１】
可とう性材料から成るピアスキャッチであって、人体に貼付するための接着性を有し、ピアスピンで突き破って使用することを特徴とするピアスキャッチ。
【請求項２】
前記可とう性材料が皮膚接着性ゲルであることを特徴とする請求項１に記載のピアスキャッチ。
【請求項３】
前記可とう性材料がシリコン材料であることを特徴とする請求項１に記載のピアスキャッチ。
【請求項４】
前記可とう性材料が香りを発することを特徴とする、請求項１、２、または３に記載のピアスキャッチ。
【請求項５】
前記可とう性材料が抗菌作用を有することを特徴とする請求項１、２、３、または４に記載のピアスキャッチ。
【発明の詳細な説明】
【技術分野】
【０００１】  本発明は、人体にあけた穴に挿入して使用するアクセサリーであるピアスの留め具であるピアスキャッチに関する。
【背景技術】
【０００２】  宝石等の装飾物にピンを取り付け、そのピンを耳たぶなどに空けた穴に通すことによって使用されるピアス等のアクセサリーは、主に若い女性のファッションアイテムとしては欠かせない存在となっている。【０００３】  耳たぶなどに空けた穴に通されたピンは、耳たぶの裏側へと貫通する。貫通したピンには、ピアスの落下防止のための「ピアスキャッチ」と呼ばれる留め具が取り付けられる。【０００４】  ピアスキャッチには、プラスチック、シリコン、チタン等が用いられており、耳たぶを挿通してきたピンを受けるための挿通孔を有している。使用者は、ピアス本体を自分の耳たぶに空けられた穴に通し、耳たぶの裏側に出たピンをピアスキャッチの挿通孔に挿入することによって、ピアス本体を固定する。【０００５】  ピアスキャッチの形状は様々であるが、一般的には、環状の中心部の両脇に持ち手が出ているものや、単なる球形、半球形、柱形のものなどが市販されている。【０００６】  特許文献１では、シリコン樹脂等の弾性体からなるキャッチ本体と、このキャッチ本体の外側面を被覆する金属カバーとで構成され、前記キャッチ本体の耳たぶに当たる内側面の周縁に前記金属カバーの端部に設けた係止部を係止させて両者を一体にすると共に、キャッチ本体及び金属カバーにピン挿通孔を設けたピアス用キャッチが開示されている。【０００７】  特許文献２では、１）ピアスイヤリングのキャッチが、抗菌剤を塗布、練り込み、あるいは浸出可能としたピン挿通用の筒状体を、種々の装飾本体に埋設したことを特徴とする。２）装飾本体が貴金属、宝石類、合成樹脂、ゴムからなる群から選ばれてなることを特徴とするピアスイアリングが開示されている。【０００８】  特許文献３では、香水、香料付き耳飾りであって、香水、香料の容器は主として耳飾りの耳裏側の金属部分に取り付ける。香水、香料の容器自体を飾り物として、又兼用して使う時は耳飾りの何処に付けると固定せずに前面、裏面とバランス取れた処に付ける。耳飾りに付ける時は、直接金属部分に付けるか、又、くさり、輪、リング、補助金属等をつかい、どの様に付けてもよい。容器は香水、香料の取替、補充が出来るように容器を蓋の付いた物にする。容器には穴を開けた物、又穴を開けずに外蓋、内蓋を引いたり、押したりして隙間を作り、そこから香りが出る様にすることを特徴とする香水、香料付き耳飾りが開示されている。
【先行技術文献】
【特許文献】
【０００９】
【特許文献１】  登録実用新案  第３０４５８１２号
【特許文献２】  実開平７−２０８２３
【特許文献３】  実開平７−１８６１６
【発明の開示】
【発明が解決しようとする課題】
【００１０】  ピアスキャッチが簡単に脱落してしまい、宝石等で構成された大切なピアス本体が落下して紛失してしまうのは、多くの女性の悩みとなっている。また、ピアス本体とピアスキャッチは、ほとんどの場合が一対構造であるため、ピアスキャッチを紛失してしまうと、ピアス本体も使用できなくなってしまうという問題もある。【００１１】  落下防止のための方策が施されているピアスキャッチも市販されてはいるが、ピアスは人体に空けた穴に挿入して使用するため、ピンは滑らかで滑りやすく加工されており、どのようなピアスキャッチを取り付けても、動き回っているうちに落下してしまうという問題は、依然として解決されていない。【００１２】  また、ピアスを通すために耳たぶ等に空けられた穴は、菌が繁殖して化膿したり、時には穴から異臭を発してしまう場合などがあり、ピアスを使用する女性は定期的に穴の消毒をする必要がある。【００１３】  特許文献１に記載のピアスキャッチは、シリコン樹脂等の弾性体から成るキャッチ本体の外側面を金属カバーで被覆し、キャッチを落下し難くすると共にその作業工程をも簡略化している。しかし、キャッチにピン挿通孔を設ける構成のため、何度もピンを挿通させている間に挿通孔が広がってしまい、キャッチのピン挟持力が減少して、キャッチが落下してしまうという問題を有している。【００１４】  特許文献２に記載のピアスイヤリングは、キャッチに抗菌剤を塗布、練り込み、あるいは浸出可能としたピン挿通用の筒状体を、種々の装飾本体に埋設した事を特徴とし、キャッチにおける菌の繁殖を抑えている。しかし、キャッチにピン挿通孔を設ける構成のため、何度もピンを挿通させている間に挿通孔が広がってしまい、キャッチのピン挟持力が減少して、キャッチが落下してしまうという問題を有するともに、ピン挟持力が減少してキャッチと耳たぶの間に隙間ができるようになると、抗菌剤の効用が減少してしまうという問題を有している。【００１５】  特許文献３に記載の香水、香料付き耳飾りは、耳飾りの耳裏側の金属部分や耳飾り本体や補助金属等に香水、香料の容器を取り付けて、耳飾りから香りを発生させている。しかし、香水、香料の容器を取り付ける構造であるため、ファッション性が最重要であるピアスのデザインに制約ができる上に、全体的な形状が大きくなってしまうという問題を有している。
【課題を解決するための手段】
【００１６】  上記の課題を解決する手段として、本発明のピアスキャッチは、可とう性材料から成り、人体に貼付するための接着性を有し、ピアスピンで突き破って使用することを特徴とする構成とした。接着性、粘着性及び弾力性に富む樹脂等の可とう性材料であって、挿通孔の無い状態で、ピアスピンで突き破る構成であるため、ピアスピンがピアスキャッチから抜け難い上に、キャッチ自体の接着性によって耳たぶ等の人体にピアスキャッチが貼付されるため、極めて落下し難い構造となっている。【００１７】  また、本発明のピアスキャッチは、前記可とう性材料が皮膚接着性ゲル材料であることを特徴とする構成とした。皮膚接着性ゲル材料は、接着性、弾力性、粘着性に富み、丈夫で容易には破れない材料であるが、一方で、ピアスピンのような針状の部材で突き破るのは容易であるため、ピアスの装着が容易となる。また、触感が極めて良い事も知られており、耳たぶ等の人体に貼付した際も、違和感なく使用することができる。さらに、着色したり、形状を自由に選べるので、従来は単なる留め具であったピアスキャッチにもファッション性を持たせることが出来る。【００１８】  また、本発明のピアスキャッチは、前記可とう性材料がシリコン材料であることを特徴とする構成とした。シリコン材料は、接着性、弾力性、粘着性に富み、丈夫で容易には破れない材料であるが、一方で、ピアスピンのような針状の部材で突き破るのは容易であり、ピアスの装着が容易である。また、生体安全性に優れているので、人体に貼付してもかぶれやアレルギーの心配が少ないという利点を有する。さらに、着色したり、形状を自由に選べるので、従来は単なる留め具であったピアスキャッチにもファッション性を持たせることが出来る。【００１９】  また、本発明のピアスキャッチは、前記可とう性材料が香りを有することを特徴とする構成とした。これにより、キャッチから直接香りを発することが可能となり、ピアスのファッション性を損ねることなく、容易に良い香りを発することができる。【００２０】  さらに、本発明のピアスキャッチは、前記可とう性材料が抗菌作用を有することを特徴とする構成とした。これにより、人体に空けられたピアス用の穴に常に抗菌作用を有する物質が貼付されていることになり、より確実な消毒、抗菌作用を発揮することが可能となる。
【発明の効果】
【００２１】  本発明によれば、全てのピアス本体に共通に、容易に使用することが可能なピアスキャッチを提供でき、さらに、ピアス本体の落下の心配が全く無い状態で、ピアスの装着を楽しむことができるようになる。【００２２】  わざわざ香水や香料を使用しなくとも、ピアスおよび本発明のピアスキャッチを装着するだけで、良い香りを発することができ、女性らしさをかもしだせると共に、ピアス用に人体に空けられた穴から発せられる異臭を抑えることも可能となる。【００２３】  さらに、人体に空けられた穴の抗菌、消毒も容易に可能となり、安心してピアスの装着を楽しむことができるようになる。
【図面の簡単な説明】
【００２４】
【図１】本発明の実施例（ピアスキャッチ）
【図２】従来のピアスキャッチ
【図３】本発明の実施例（ピアスキャッチを装着した様子）
【図４】本発明のピアスキャッチを簡易ピアスとして使用した様子
【発明を実施するための形態】
【００２５】  以下、本発明を実施するための最良の形態を図面に基づいて詳細に説明する。
【００２６】  図１に、本発明の実施形態として、ハート型のピアスキャッチが示されている。本図は、本発明によるピアスキャッチ１と、ピアスのピン２で構成されている。なお、ピアスの本体である装飾部は図示を省略している。
【００２７】  ピアスキャッチ１の材質は、例えば、皮膚接着性を有するアルファゲル材料やシリコン材料、その他の接着性を有する樹脂等の可とう性材料である。図１の上図は、ピアスのピンで突き破っていない状態である。本発明によるピアスキャッチには、挿通孔の無いことが分かる。
【００２８】  図１の下図は、ピアスキャッチ１をピアスのピン２で突き破った様子を示している。接着性や粘着性、弾力性を有する可とう性材料をピアスピン２で突き破った状態であるので、極めて抜け難くなる。
【００２９】  参考までに、図２には、従来のピアスキャッチ３とピアスのピン２と挿通孔４が示されている。ここでは、従来のピアスキャッチ３を半球形としている。材質は、一般的には、プラスチック、シリコン、チタン等が用いられる。
【００３０】  図２では、ピアスのピン２の外径に合わせた大きさの挿通孔４に、ピアスのピン２を挿入することによってピアスの固定、装着を図っている。ピアスのピン２は、表面が滑らかで滑りやすいので、抜け易いであろうことが、図２からも容易に想定できる。
【００３１】  繰り返し使用すると挿通孔が広がってきて、さらに抜け易くなり、ピアスの落下、紛失の最大の要因となっている。
【００３２】  図３には、本発明のピアスキャッチを実際の人間の耳に装着した際の様子を示している。本発明のピアスキャッチは接着性を有しているので、耳たぶの裏側にしっかりと貼付されており、落下する心配は無い。
【００３３】  さらに、ピアスのピン２で突き破る状態となっているので、ピアスのピン２がピアスキャッチ１から抜けてしまう事も無い。
【００３４】  本実施例では、ピアスキャッチ１の形状をハート型としている。従来までは、ピアスの単なる留め具であったピアスキャッチであるが、見た目にもファッション性に優れており、耳の表側だけでなく、裏側にもおしゃれができる新たなアクセサリーとしても使用できる。
【００３５】  その場合、その形状はハート型に限定するものではなく、丸型、角型、星型、三日月形、ひし形など、様々なデザインを楽しむことができる。また、ピアスキャッチ１を着色することによって、様々な色や模様を配したピアスキャッチを提供することも可能となる。
【００３６】  本発明のピアスキャッチは、ピアスのピンで突き破る構成であるが、可とう性材料の接着性、粘着性、弾力性をもってすれば複数回の使用が可能であり、突き破る場所をずらせば、さらに繰り返し使用できる回数が増加する。
【００３７】  ピアスキャッチ１は、可とう性材料で構成されているので、その製造工程で香料等を練り込んだり、製造後に香料等を塗布することも容易である。この場合は、ピアスキャッチから香りを発することが可能となる。
【００３８】  単に香料を練り込んだり、塗布すると、時間経過に応じて、香りが飛んでしまう場合がある。香りを長持ちさせるためには、製造工程で、香料が入ったマイクロカプセルを可とう性材料に練り込んだり、製造後に香料が入ったマイクロカプセルを塗布するという方法もある。
【００３９】  香料入りのマイクロカプセルを練り込む、もしくは塗布すれば、自然に香りを発散するだけでなく、香りの持続時間も長くなる。また、使用者がピアスキャッチ１を持ったり、押したりすると、マイクロカプセルが押し潰されて香料が滲出するので、使用時に合わせて香りを発することができるという利点もある。
【００４０】  耳の裏側は汗をかきやすく、体臭の原因になり易い部位である。さらに、ピアスのための孔を耳たぶに空けている場合は、化膿などによって異臭を発してしまう場合もある。
【００４１】  本発明のピアスキャッチを、香りを発する構成とすれば、香水を使用せずとも様々な香りを楽しむことが可能となり、装着するだけで女性らしさをかもしだすことができるようになる。さらに、ピアス用に空けた穴の化膿による異臭なども軽減する事が出来る。
【００４２】  同様に、ピアスキャッチ１は、その製造工程で抗菌剤や消毒薬等を練り込んだり、製造後に抗菌剤や消毒薬等を塗布することも容易である。本発明のピアスキャッチ１は接着性を有しており、耳たぶに貼付されるので、耳たぶにピッタリと貼りついた状態となる。そこで抗菌作用や消毒作用を有していれば、ピアス用に空けた穴の化膿止めとしても高い効果を発揮することができる。
【００４３】  なお、本発明のピアスキャッチは、ピアス本体である装飾部を選ばず、全てのピアスで共通に使用することができる。ピアス本体とピアスキャッチを対で購入し、ピアスキャッチのみを紛失してしまった場合などでも、本発明のピアスキャッチを使用すれば、再びピアス本体を使用することができる。
【００４４】  図４には、本発明のピアスキャッチを、耳たぶの表側に貼付した場合を示している。この部位は、通常はピアスの本体である装飾部が装着される部位である。
【００４５】  女子高校生や女子中学生など、ピアスの使用に憧れながらもピアス用の穴をまだ空けられずにいる女性や、体質の問題で穴を空けられない人、ピアス用の穴を空けるかどうか迷っているがピアスを試してみたいと考えている人などが多数存在する。
【００４６】  そういった方々のためには、本発明のピアスキャッチ１を、ピアスのピン２で突き破って耳たぶの裏側に貼付するのではなく、そのまま表側に貼付して、簡易的なピアスとして使用することも可能である。
【００４７】  本発明をこのように使用することによって、ピアスの穴を空けることなく、ピアス的な新たなアクセサリーとして楽しむことも可能となる。
【００４８】  さらに、ピアスの穴を空けている方であっても、このように耳たぶの表側に本発明のピアスキャッチ１を貼付して使用できる。
【００４９】  この場合、単に簡易ピアスとして使用しても良いし、耳たぶの表側と裏側の両方にピアスキャッチ１を貼付して、ピンで両方のピアスキャッチ１を突き破るだけで、通常のピアスとは異なる趣の新たなアクセサリーとなる。
【００５０】  また、耳たぶの表側と裏側の両方にピアスキャッチ１を貼付した状態で、表側のピアスキャッチ１の上にピアスの本体である装飾部を載せる形で、表側と裏側の両方のピアスキャッチ１をピアスのピンで突き破って装着する方法も考えられる。
【００５１】  この場合、外観上は、ピアスの本体である装飾部の下に、異なる色彩、デザインの新たな装飾物が敷かれる格好となるので、ピアスの本体である装飾部を単体で装着するのとは違った趣でピアスによるファッションを楽しむことが可能となる。
【符号の説明】
【００５２】  １…本発明のピアスキャッチ（ハート型）、  ２…ピアスのピン、  ３…従来のピアスキャッチの一例、  ４…挿通孔。
【図１】
2012005801.tif 000003
【図２】
2012005801.tif 000004
【図３】
2012005801.tif 000005
【図４】
2012005801.tif 000006